(57)【要約】【課題】着用者が着衣のまま屋内外で容易にかつ乳房をあまり露出することなく授乳が可能で、通常の着衣状態では外観上何ら授乳用の上衣であることを感じさせないデザインとし、乳児が乳離れした後においても、違和感なくカジュアルウェアとして着用することができる授乳用衣服を提供する。【解決手段】身丈が少なくとも胸部又は／及び膝上までの長さを有する前身頃２と後身頃３からなる衣服本体１と、衣服本体１の内側に配置され、両袖ぐり８、９又は／及び両肩線６、７、両脇下線１０、１１に縫着される授乳口カバー体２とから構成されている。【選択図】図１
2011047095.tif 000002
【特許請求の範囲】
【請求項１】
着用者が着衣のまま屋内外で容易に授乳できる授乳用衣服であって、
身丈が少なくとも胸部又は／及び膝上までの長さを有する前身頃と後身頃からなる衣服本体と、
前記衣服本体の内側に配置され、両袖ぐり又は／及び両肩線、両脇下線に縫着される授乳口カバー体とから構成されている、
ことを特徴とする授乳用衣服。
【請求項２】
前記衣服本体の前襟ぐり部が、ほぼ半円状、Ｕ字状又はＶ字状に大きく形成されている、
ことを特徴と請求項１に記載する授乳用衣服。
【請求項３】
前記授乳口カバー体の前襟ぐり部が、ほぼ半円状、Ｕ字状又はＶ字状に大きく形成されている、
ことを特徴とする請求項１〜２の何れかに記載する授乳用衣服。
【請求項４】
前記衣服本体が、長袖又は短袖のワンピース又はスウェットシャツである、
ことを特徴とする請求項１〜３の何れかに記載する授乳用衣服。
【請求項５】
前記衣服本体が、タンクトップである、
ことを特徴とする請求項１〜３の何れかに記載する授乳用衣服。
【請求項６】
前記衣服本体又は前記授乳口カバー体が、左前身頃と右前身頃が突き合わせ部で交叉し中央領域で重ね合わせられている、
ことを特徴とする請求項１〜５の何れかに記載する授乳用上衣。
【発明の詳細な説明】
【技術分野】
【０００１】  本願発明は、授乳用衣服に係り、より詳しくは、着用者が着衣のまま随時授乳が可能な授乳用衣服で、かつ通常の着衣状態では外観上何ら授乳用の上衣であることを感じさせないで、乳児が乳離れした後においても、違和感を感じることなくカジュアルウェアとして着用することができる授乳用衣服に関する。
【背景技術】
【０００２】  従来より、母親が乳児に授乳する際に、衣服を着用したまま授乳できるような授乳用衣服の提案が若干なされている。このような授乳用衣服は、衣服を着用したまま、乳房が出し易く、かつ、露出部を少なくするように、隠蔽機能のあるものが提案されている。また、近年では、カジュアルウェアのデザインに近い授乳服の提案もなされている。【０００３】  例えば、乳房の全体を含む領域である胸部を覆う比較的大きい覆い布と、その覆い布の下にカシュクール状とした布を設けた授乳服が開示されている（例えば、特許文献１、図２参照）。【０００４】  また、襟ぐりの開口部が乳房位置まで達するような授乳服の本体と、その本体の内部に配置される比較的長くて大きい内側前身頃を有しており、授乳時にはその内側前身頃を授乳服本体の前に引き出して、授乳服本体の開口部から出された乳房を比較的長く大きい内側前身頃で隠して授乳できる授乳服も開示されている（例えば、特許文献２、図３及び図４参照）。【０００５】  授乳を行う母親は、乳房の保護や保形、あるいは母乳漏れを防止するための母乳パッドを装着するため、通常、ブラジャーを着用している。従って、従来の授乳服の場合は、授乳に際して、授乳服を着用したまま、乳房を露出させるには以下の手順が必要であり、時間を要するものであった。つまり、例えば、特許文献１の授乳服の場合は、先ず、乳房を含む領域である胸部を覆うように比較的大きく形成された覆い布をめくり、その状態で覆い布の内側に配置されるカシュクール状の布である衣服の襟ぐり部を開いてブラジャーを装着している胸部を露出する。そして、その状態でブラジャーをめくる。従って、片手で比較的大きく設けられている覆い布や衣服及びブラジャーのカップを抑えつつ、乳児をもう一方の手で抱え、授乳する必要がある。【０００６】  また、特許文献２の授乳服の場合は、授乳服本体の内部に配置される比較的長く大きい内側前身頃を有しており、このような授乳服の場合は、授乳時に本体の前側に比較的長く大きい内側前身頃を引き出して、授乳服本体の開口部から出された乳房をこの内側前身頃で隠して授乳するものである。このため、何れの授乳服も着用したまま授乳はできるが、手軽に素早く授乳することが困難である。【０００７】  一方、前身頃の裏側に、前方の肩部分と乳房の下部分であるアンダーバストの位置の部分とで比較的長く大きい内側前身頃を固定するようにした授乳服も開示されている（例えば、特許文献３、図１参照）。【０００８】  しかしながら、この授乳服の場合も、内側前身頃が前方の肩部分とアンダーバストの部分とで固定され、かつ、内側前身頃が比較的長く大きい略長方形形状をしているものであるため、襟ぐりとの距離が離れてしまい、授乳に際し、着用しているブラジャーのカップの開閉が困難であるという問題がある。そして、襟ぐりやカップを抑えながら授乳する必要もあり、面倒であるとの問題がある。
【先行技術文献】
【特許文献】
【０００９】
【特許文献１】特開２００４−１３１８６８号公報
【特許文献２】特許第３６９４６９４号公報
【特許文献３】実用新案登録第３１１０８１１号公報
【発明の概要】
【発明が解決しようとする課題】
【００１０】  本願発明の課題は、着用者が着衣のまま屋内外で容易にかつ乳房をあまり露出することなく授乳が可能で、通常の着衣状態では外観上何ら授乳用の上衣であることを感じさせないデザインとし、乳児が乳離れした後においても、違和感なくカジュアルウェアとして着用することができる授乳用衣服を提供することである。
【課題を解決するための手段】
【００１１】  本願発明者は、上記従来技術が有する各種問題点に鑑み鋭意検討を重ね、課題を解決するために、当該業界では想到不可能な解決手段を完成したものである。
課題を解決するための手段は、本願、特許請求の範囲の各請求項に記載の発明であり、その具体的な解決手段は、以下の通りである。【００１２】  課題を解決するための第１の発明は、請求項１に記載の発明であり、
着用者が着衣のまま屋内外で容易に授乳できる授乳用衣服であって、
身丈が少なくとも胸部又は／及び膝上までの長さを有する前身頃と後身頃からなる衣服本体と、
前記衣服本体の内側に配置され、両袖ぐり又は／及び両肩線、両脇下線に縫着される授乳口カバー体とから構成されている、
ことを特徴としている。【００１３】  課題を解決するための第２の発明は、請求項２に記載の発明であり、
請求項１に記載する授乳用衣服において、
前記衣服本体の前襟ぐり部が、ほぼ半円状、Ｕ字状又はＶ字状に大きく形成されている、
ことを特徴としている。【００１４】  課題を解決するための第３の発明は、請求項３に記載の発明であり、
請求項１〜２に記載する授乳用衣服において、
前記授乳口カバー体の前襟ぐり部が、ほぼ半円状、Ｕ字状又はＶ字状に大きく形成されている、
ことを特徴としている。【００１５】  課題を解決するための第４の発明は、請求項４に記載の発明であり、
請求項１〜３に記載する授乳用衣服において、
前記衣服本体が、長袖又は短袖のワンピース又はスウェットシャツである、
ことを特徴としている。【００１６】  課題を解決するための第５の発明は、請求項５に記載の発明であり、
請求項１〜３に記載する授乳用衣服において、
前記衣服本体が、タンクトップである、
ことを特徴としている。【００１７】  課題を解決するための第６の発明は、請求項６に記載の発明であり、
請求項１〜５に記載する授乳用衣服において、
前記衣服本体又は前記授乳口カバー体が、左前身頃と右前身頃が突き合わせ部で交叉し中央領域で重ね合わせられている、
ことを特徴としている。
【発明の効果】
【００１８】  本願発明に係る、授乳用衣服は、上記の構成になるから以下の効果を奏する。
第１の発明（請求項１）によれば、
「着用者が着衣のまま屋内外で容易に授乳できる授乳用衣服であって、身丈が少なくとも胸部又は／及び膝上までの長さを有する前身頃と後身頃からなる衣服本体と、前記衣服本体の内側に配置され、両袖ぐり又は／及び両肩線、両脇下線に縫着される授乳口カバー体とから構成されている」という、当業界においては想到不可能な特徴的な構成により、特徴的構成要件に応じた以下のような顕著な効果を奏することができた。
即ち、着用者が着衣のまま屋内外で容易にかつ乳房をあまり露出することなく授乳が可能で、通常の着衣状態では外観上何ら授乳用の上衣であることを感じさせないデザインとし、乳児が乳離れした後においても、違和感なくカジュアルウェアとして着用することができる授乳用衣服の提供という、本願発明の課題を解決することができた。【００１９】  第２の発明（請求項２）によれば、
「前記衣服本体の前襟ぐり部が、ほぼ半円状、Ｕ字状又はＶ字状に大きく形成されている」という特徴的な構成により、着用者は授乳に際し、左右いずれかの乳房を簡単に取り出し授乳することができる。【００２０】  第３の発明（請求項３）によれば、
「前記授乳口カバー体の前襟ぐり部が、ほぼ半円状、Ｕ字状又はＶ字状に大きく形成されている」という特徴的な構成により、着用者は授乳に際し、左右いずれかの乳房を簡単に取り出し授乳することができると共に、露出された乳房の露出度を少なくすることができる。【００２１】  第４の発明（請求項４）によれば、
「前記衣服本体が、長袖又は短袖のワンピース又はスウェットシャツである」という特徴的な構成により、通常の着衣状態では外観上何ら授乳用の上衣であることを感じさせないデザインとしているので、着用者は、乳児が乳離れした後においても、違和感なくカジュアルウェアとして着用することができる。【００２２】  第５の発明（請求項５）によれば、
「前記衣服本体が、タンクトップである」という特徴的な構成により、第４の発明と同様に、通常の着衣状態では外観上何ら授乳用の上衣であることを感じさせないデザインとしているので、着用者は、乳児が乳離れした後においても、違和感なくカジュアルウェアとして着用することができる。【００２３】  第６の発明（請求項６）によれば、
「前記衣服本体又は前記授乳口カバー体が、左前身頃と右前身頃が突き合わせ部で交叉し中央領域で重ね合わせられている」という特徴的な構成により、着用者は授乳に際し、左右いずれかの乳房を簡単に取り出し授乳することができると共に、露出された乳房の露出度を少なくすることができる。また通常の着衣状態では外観上何ら授乳用の上衣であることを感じさせないデザインとしているので、着用者は、乳児が乳離れした後においても、違和感なくカジュアルウェアとして着用できるという効果を奏する。
【図面の簡単な説明】
【００２４】
【図１】は、本発明に係る、授乳用衣服の第１実施形態を示す正面図である。
【図２】は、同上における衣服本体の正面図である。
【図３】（ａ）は、同上における授乳口カバー体の正面図、（ｂ）は、授乳口カバー体の背面図である。
【図４】（ａ）は、本発明に係る、授乳用衣服の第２実施形態を示す正面図、（ｂ）は、同授乳口カバー体の正面図である。
【図５】（ａ）は、本発明に係る、授乳用衣服の第３実施形態を示す正面図、（ｂ）は、同授乳口カバー体の正面図である。
【図６】（ａ）は、本発明に係る、授乳用衣服の第４実施形態を示す正面図、（ｂ）は、同授乳口カバー体の正面図である。
【発明を実施するための形態】
【００２５】  以下、本発明に係る、授乳用衣服に関する実施形態について、図面を参照しながら説明する。図１〜図３は、本発明に係る第１の実施形態を示し、長袖ワンピース型の授乳用衣服（以下、衣服Ｗ１という）で、身丈を膝上までの長さとしたものであり、１は衣服本体で、２は前身頃、３は後身頃、４は前襟ぐり部で、図示するようにほぼＵ字状に大きく形成されている。５は後襟ぐり部、６は左肩線、７は右肩線、８は左袖ぐり、９は右袖ぐり、１０は左脇下、１１は右脇下である。
図３は、衣服本体１の内側に配置される授乳口カバー体（以下、カバー体Ｃ１という）を示し、Ｃ２は前身頃、Ｃ３は後身頃、Ｃ４は襟部、Ｃ５は後身頃Ｃ３の下端縁、Ｃ６は左肩線、Ｃ７は右肩線、Ｃ８は左袖ぐり、Ｃ９は右袖ぐり、Ｃ１０は左脇下、Ｃ１１は右脇下である。
【００２６】  図１に示す長袖ワンピース型の衣服Ｗ１の制作手順について説明する。まず、カバー体Ｃ１の後身頃Ｃ３における下端縁Ｃ５を衣服本体１の後襟ぐり部５に縫着する。次に、カバー体Ｃ１の左肩線Ｃ６を衣服Ｗ１の左肩線６に縫着し、右肩線Ｃ７を衣服Ｗ１の右肩線７に縫着する。続いて左袖ぐりＣ８を衣服Ｗ１の左袖ぐり８に縫着し、右袖ぐりＣ９を衣服Ｗ１の右袖ぐり９に縫着する。そして左脇下Ｃ１０を衣服Ｗ１の左脇下１０に縫着し、右脇下Ｃ１１を衣服Ｗ１の左脇下１１に縫着して、長袖ワンピース型の授乳用衣服Ｗ１の制作は完了する。授乳に際し、着用者は、カバー体Ｃ１の前身頃Ｃ２を指先で摘んで衣服Ｗ１の前襟ぐり部４の上方に引き上げて授乳することができる。
【００２７】  図４（ａ）、（ｂ）は、本発明に係る第２実施形態を示し、短袖付きスウェットシャツ型の授乳用衣服（以下、衣服Ｗ２という）である。２１は衣服本体で、２２は前身頃、２３は後身頃、２４は前襟ぐり部で、２５は後襟ぐり部、２６は左肩線、２７は右肩線、２８は左袖ぐり、２９は右袖ぐり、２１０は左脇下、２１１は右脇下である。
図４（ｂ）は、衣服Ｗ２の内側に配置される授乳口カバー体（以下、カバー体Ｃ２という）を示し、Ｃ２２は前身頃、Ｃ２３は後身頃、Ｃ２４は前襟ぐり部で、図示するようにほぼＵ字状に大きく形成されている。Ｃ２６は左肩線、Ｃ２７は右肩線、Ｃ２８は左袖ぐり、Ｃ２９は右袖ぐり、Ｃ２１０は左脇下、Ｃ２１１は右脇下である。
【００２８】  図４に示す短袖付きスウェットシャツの衣服Ｗ２の制作手順について説明する。まず、カバー体Ｃ２の左肩線Ｃ２６を衣服Ｗ２の左肩線２６に縫着し、右肩線Ｃ２７を衣服Ｗ２の右肩線２７に縫着する。次に左袖ぐりＣ２８の左脇下Ｃ２１０を衣服Ｗ２の左脇下２１０に縫着し、右脇下Ｃ２１１を衣服Ｗ２の左脇下２１１に縫着して、短袖付きスウェットシャツ型の授乳用衣服Ｗ２の制作は完了する。授乳に際し、着用者は、衣服Ｗ２の前身頃２２を指先で摘んでカバー体Ｃ２の前襟ぐり部Ｃ２４の上方に引き上げて授乳することができる。
【００２９】  図５（ａ）、（ｂ）は、本発明に係る第３実施形態を示し、タンクトップ型の授乳用衣服（以下、衣服Ｗ３という）である。３１は衣服本体で、３２は前身頃、３３は後身頃、３４は前襟ぐり部で、左前身頃３２ａと右前身頃３２ｂが突き合わせ部３２ｃで交叉し中央領域３２ｄで重ね合わせられている。３５は後襟ぐり部、３６は左肩紐、３７は右肩紐、３８は左脇腹線、３９は右脇腹線である。
図５（ｂ）は、衣服Ｗ３の内側に配置される授乳口カバー体（以下、カバー体Ｃ３という）を示し、Ｃ３２は前身頃、Ｃ３４は前襟ぐり部で、図示するようにフリル等の装飾片が縫着されている。Ｃ３６は左脇下線、Ｃ３７は右脇下線、Ｃ３８は左脇腹線、Ｃ３９は右脇腹線である。
【００３０】  図５に示すタンクトップ型の衣服Ｗ３の制作手順について説明する。まず、カバー体Ｃ３の左脇下線Ｃ３６を衣服Ｗ３の左肩紐３６の下方部に縫着し、右脇下線Ｃ３７を衣服Ｗ３の右肩紐３６の下方部に縫着する。次に左脇腹線Ｃ３８を衣服Ｗ３の左脇腹線３８に縫着し、右脇腹線Ｃ３９を右脇腹線３９に縫着して、タンクトップ型の授乳用衣服Ｗ３の制作は完了する。授乳に際し、着用者は、カバー体Ｃ３の前身頃Ｃ３２を指先で摘んで衣服Ｗ３の前襟ぐり部３４の上方に引き上げて授乳することができる。
【００３１】  図６（ａ）、（ｂ）は、本発明に係る第４実施形態を示し、タンクトップ型の授乳用衣服（以下、衣服Ｗ４という）である。４１は衣服本体で、４２は前身頃、４３は後身頃、４４は前襟ぐり部で、図示するようにフリル等の装飾片４４ａが縫着されている。４５は後襟ぐり部、４６は左肩紐、４７は右肩紐、４８は左脇腹線、４９は右脇腹線である。
図６（ｂ）は、衣服Ｗ４の内側に配置される授乳口カバー体（以下、カバー体Ｃ４という）を示し、Ｃ４２は前身頃、Ｃ４４は前襟ぐり部で、左前身頃Ｃ４２ａと右前身頃Ｃ４２ｂが突き合わせ部Ｃ４２ｃで交叉し中央領域Ｃ４２ｄで重ね合わせられている。Ｃ４６は左脇下線、Ｃ４７は右脇下線、Ｃ４８は左脇腹線、Ｃ４９は右脇腹線である。
【００３２】図６に示すタンクトップ型の衣服Ｗ４の制作手順について説明する。まず、カバー体Ｃ４の左脇下線Ｃ４６を衣服Ｗ４の左肩紐４６の下方部に縫着し、右脇下線Ｃ４７を衣服Ｗ４の右肩紐４６の下方部に縫着する。次に左脇腹線Ｃ４８を衣服Ｗ４の左脇腹線４８に縫着し、右脇腹線Ｃ４９を右脇腹線４９に縫着して、タンクトップ型の授乳用衣服Ｗ４の制作は完了する。授乳に際し、着用者は、衣服Ｗ４の前身頃４２を指先で摘んでカバー体Ｃ４の前襟ぐり部Ｃ４４の上方に引き上げて授乳することができる。
【符号の説明】
【００３３】Ｗ１        授乳用衣服
Ｃ１        授乳口カバー体
１          衣服本体
２          前身頃
３          後身頃
４          前襟ぐり部
５          後襟ぐり部
６          左肩線
７          右肩線
８          左袖ぐり
９          右袖ぐり
１０        左脇下
１１        右脇下
Ｃ２        前身頃
Ｃ３        後身頃
Ｃ４        襟部
Ｃ５        下端縁、
Ｃ６        左肩線
Ｃ７        右肩線
Ｃ８        左袖ぐり
Ｃ９        右袖ぐり
Ｃ１０      左脇下
Ｃ１１      右脇下
【図１】
2011047095.tif 000003
【図２】
2011047095.tif 000004
【図３】
2011047095.tif 000005
【図４】
2011047095.tif 000006
【図５】
2011047095.tif 000007
【図６】
2011047095.tif 000008